(57)【要約】【課題】現金センタにおいて作成した各営業店における必要な運用資金の予測値を、各営業店における日々の有高等のデータに基づいて修正することができるフレキシブルなシステムとして、容易に、かつ、適切に現金の配送計画を立てることができるようにする。【解決手段】金融機関における現金センタ３０から営業店２０に対して現金を配送する配送計画を作成するサーバ１１と、前記営業店２０に配設され、前記サーバ１１に接続された営業店クライアント２１と、前記現金センタ３０に配設され、前記サーバ１１に接続された現金センタクライアント３１とを有し、前記サーバ１１は、前記営業店クライアント２１から受信した前記営業店２０の現時点における有高に基づいて前記配送計画を作成し、前記営業店クライアント２１及び現金センタクライアント３１は、前記サーバ１１にアクセスして前記配送計画を照会する。【選択図】図１
2005255333.tif 000002
【特許請求の範囲】
【請求項１】
（ａ）金融機関における現金センタから営業店に対して現金を配送する配送計画を作成するサーバと、
（ｂ）前記営業店に配設され、前記サーバに接続された営業店クライアントと、
（ｃ）前記現金センタに配設され、前記サーバに接続された現金センタクライアントとを有し、
（ｄ）前記サーバは、前記営業店クライアントから受信した前記営業店の現時点における有高に基づいて前記配送計画を作成し、
（ｅ）前記営業店クライアント及び現金センタクライアントは、前記サーバにアクセスして前記配送計画を照会することを特徴とする現金配送計画システム。
【請求項２】
前記サーバは、現金を配送するグループに関するデータを格納する配送グループ情報テーブル、前記営業店における基準高、上限値及び下限値に関するデータを格納する基準高・上限値・下限値情報テーブル、前記営業店の現時点における有高に関するデータを格納する有高情報テーブル、及び、前記配送計画を格納する配送計画情報テーブルを備える請求項１に記載の現金配送計画システム。
【請求項３】
前記基準高・上限値・下限値情報テーブルに格納される前記営業店における基準高、上限値及び下限値に関するデータは、前記現金センタクライアントによって設定され、前記営業店クライアントによって更新される請求項２に記載の現金配送計画システム。
【請求項４】
前記基準高・上限値・下限値情報テーブルは、前記営業店における基準高、上限値及び下限値に関する過去のデータを蓄積し、前記サーバは、前記過去のデータに基づいて、前記営業店における過去の有高、基準高、上限値及び下限値の推移を分析する請求項２又は３に記載の現金配送計画システム。
【発明の詳細な説明】
【技術分野】
【０００１】
本発明は、現金配送計画システムに関するものである。
【背景技術】
【０００２】
従来、銀行、信用金庫、郵便局等の金融機関の支店、すなわち、営業店においては、日常の金融取引を行うために必要な現金としての運用資金を保管している。そして、該運用資金が不足した場合には、現金が金融機関の現金センタから前記営業店に配送されて供給され、また、前記運用資金に余剰が発生した場合には、現金が前記営業店から現金センタに配送されて回収されるようになっている（例えば、特許文献１参照。）。
【０００３】
ところで、現金の配送は、警備保障会社、運送会社等の配送車によって行われる。そのため、金融機関においては、配送すべき営業店、各営業店に供給する現金の金額、各営業店から回収する現金の金額等を定めた配送計画を作成し、該配送計画に基づいて前記配送車に指示を出して、現金の配送を行わせるようになっている。
【特許文献１】特開２００２−１９３４５１号公報
【発明の開示】
【発明が解決しようとする課題】
【０００４】
しかしながら、前記従来のシステムにおいては、営業店において保管されている運用資金の金額、すなわち、有高に関する過去のデータを分析して日々に必要な運用資金を予測して配送計画を立てるようになっているので、社会情勢の変化が激しい現代社会においては、営業店周辺の環境や社会環境が著しく変化しているので必要な運用資金の予測が的中せず、適切に現金の配送計画を立てることができなくなってしまう。そして、現金が適切に配送されず、営業店における有高が適正な水準を下回ると、顧客に対して支払うべき現金が不足したりして、金融取引を円滑に行うことができなくなってしまう。また、営業店における有高が適正な水準を上回ると、余剰な現金を死蔵していることとなり、該現金を運用した場合に得ることができる運用益、すなわち、得べかりし利益を逸失してしまう。さらに、盗難にあった際の被害額が大きくなり、危険性が高くなってしまう。
【０００５】
そこで、各営業店の職員が自分の営業店において日々に必要な運用資金を予測し、現金センタにおいて各営業店の予測値を集計して配送計画を作成することも行われている。この場合、各営業店の職員は、例えば、必要な運用資金を算出するためのモデル計算式を使用し、該モデル計算式に各営業店毎の数値を代入し、更に、営業店周辺の環境や社会環境を考慮した修正を加えて予測値を作成し、該予測値を現金センタに送信する。しかし、この場合には各営業店の職員の経験や能力によって、予測値に大きな誤差が発生する可能性があるので、適切に現金の配送計画を立てることができなくなってしまう。
【０００６】
本発明は、前記従来の現金配送計画システムの問題点を解決して、現金センタにおいて作成した各営業店における必要な運用資金の予測値を、各営業店における日々の有高等のデータに基づいて修正することができるフレキシブルなシステムとして、容易に、かつ、適切に現金の配送計画を立てることができる現金配送計画システムを提供することを目的とする。
【課題を解決するための手段】
【０００７】
そのために、本発明の現金配送計画システムにおいては、金融機関における現金センタから営業店に対して現金を配送する配送計画を作成するサーバと、前記営業店に配設され、前記サーバに接続された営業店クライアントと、前記現金センタに配設され、前記サーバに接続された現金センタクライアントとを有し、前記サーバは、前記営業店クライアントから受信した前記営業店の現時点における有高に基づいて前記配送計画を作成し、前記営業店クライアント及び現金センタクライアントは、前記サーバにアクセスして前記配送計画を照会する。
【０００８】
本発明の他の現金配送計画システムにおいては、さらに、前記サーバは、現金を配送するグループに関するデータを格納する配送グループ情報テーブル、前記営業店における基準高、上限値及び下限値に関するデータを格納する基準高・上限値・下限値情報テーブル、前記営業店の現時点における有高に関するデータを格納する有高情報テーブル、及び、前記配送計画を格納する配送計画情報テーブルを備える。
【０００９】
本発明の更に他の現金配送計画システムにおいては、さらに、前記基準高・上限値・下限値情報テーブルに格納される前記営業店における基準高、上限値及び下限値に関するデータは、前記現金センタクライアントによって設定され、前記営業店クライアントによって更新される。
【００１０】
本発明の更に他の現金配送計画システムにおいては、さらに、前記基準高・上限値・下限値情報テーブルは、前記営業店における基準高、上限値及び下限値に関する過去のデータを蓄積し、前記サーバは、前記過去のデータに基づいて、前記営業店における過去の有高、基準高、上限値及び下限値の推移を分析する。
【発明の効果】
【００１１】
本発明によれば、現金センタにおいて作成した各営業店における必要な運用資金の予測値を、各営業店における日々の有高等のデータに基づいて修正することができるフレキシブルになっている。そのため、容易に、かつ、適切に現金の配送計画を立てることができる。
【発明を実施するための最良の形態】
【００１２】
以下、本発明の実施の形態について図面を参照しながら詳細に説明する。
【００１３】
図１は本発明の第１の実施の形態における現金配送計画システムの装置構成を示すブロック図である。
【００１４】
図に示されるように、現金配送計画システムは、コンピュータセンタ１０に配設されたサーバ１１、営業店２０に配設された営業店クライアント２１、及び、現金センタ３０に配設された現金センタクライアント３１を有する。ここで、前記営業店２０は、銀行、信用金庫、郵便局等の金融機関の本店や支店であり、顧客に対して各種金融サービスを提供する。前記顧客は、前記営業店２０に配設されたＡＴＭ（Ａｕｔｏｍａｔｉｃ  Ｔｅｌｌｅｒ  Ｍａｃｈｉｎｅ：現金自動預払機）、ＣＤ（Ｃａｓｈ  Ｄｉｓｐｅｎｓｅｒ：現金自動支払機）等の自動取引装置を自分で操作して、又は、窓口における営業店２０の職員に依頼して、入金、出金、通帳記帳、残高照会、振り込み、振り替え、送金、定期性預金設定等の金融取引を行うようになっている。なお、前記営業店２０においては、日常の金融取引を行うために必要な現金としての運用資金を保管している。そして、該運用資金が不足した場合には、現金が現金センタ３０から前記営業店２０に配送されて供給され、また、前記運用資金に余剰が発生した場合には、現金が前記営業店２０から現金センタ３０に配送されて回収されるようになっている。
【００１５】
また、前記営業店クライアント２１は、ＣＰＵ、ＭＰＵ等の演算手段、半導体メモリ、磁気ディスク等の記憶手段、ＣＲＴ、液晶ディスプレイ、ＬＥＤ（Ｌｉｇｈｔ  Ｅｍｉｔｔｉｎｇ  Ｄｉｏｄｅ）ディスプレイ等の表示手段、キーボード、マウス、タッチパネル等の入力手段、通信手段、印刷手段等を備えるコンピュータであり、例えば、パーソナルコンピュータであるが、ワークステーション、サーバ等いかなる形態のものであってもよい。そして、前記営業店クライアント２１は、コンピュータセンタ１０に配設されたサーバ１１に通信可能に接続されている。なお、前記営業店クライアント２１は、通常、各営業店２０に一台ずつ配設されるが複数であってもよい。そして、前記営業店２０の職員は、前記営業店クライアント２１を操作して、前記営業店２０において保管されている運用資金の金額、すなわち、有高を有高報告として前記サーバ１１に送信することができる。前記有高報告は、所定のタイミング、例えば、各営業日における営業終了時刻に、前記サーバ１１に送信される。また、前記営業店２０の職員は、前記営業店クライアント２１を操作して、前記サーバ１１にアクセスして、当日の当該営業店２０に関する配送計画を照会することができる。
【００１６】
そして、前記現金センタ３０は、運用資金が不足した営業店２０に現金を供給し、運用資金に余剰が発生した営業店２０から現金を回収するセンタである。なお、前記現金センタ３０においては、現金を配送すべき営業店２０、各営業店２０に供給する現金の金額、各営業店２０から回収する現金の金額等を定めた配送計画を作成する。そして、該配送計画に従って、各営業店２０に現金を配送して供給したり、各営業店２０からの現金を配送して回収したりする。すなわち、前記現金センタ３０は、各営業店２０に対して現金配送を行う。なお、実際の配送は、配送車によって行われるが、警備保障会社、運送会社等の配送業務を実施する事業者に委託することもできる。
【００１７】
ここで、前記現金センタ３０は、独立して設立されたものであってもよいし、前記営業店２０と一体的に設立されたものであってもよい。例えば、前記金融機関が郵便局である場合、各地方の中央郵便局のように規模の大きな営業店２０の内部に設立されてもよい。また、前記現金センタ３０は、単数であってもよいし、複数であってもよい。そして、前記現金センタ３０が複数である場合、各現金センタ３０間の関係に階層構造を採用することもできる。この場合、上位の階層に属する現金センタ３０は、下位の階層に属する複数の現金センタ３０に対して現金配送を行う。なお、前記階層は、二層であってもよいし、三層以上であってもよい。
【００１８】
また、前記現金センタクライアント３１は、ＣＰＵ、ＭＰＵ等の演算手段、半導体メモリ、磁気ディスク等の記憶手段、ＣＲＴ、液晶ディスプレイ、ＬＥＤディスプレイ等の表示手段、キーボード、マウス、タッチパネル等の入力手段、通信手段、印刷手段等を備えるコンピュータであり、例えば、パーソナルコンピュータであるが、ワークステーション、サーバ等いかなる形態のものであってもよい。そして、前記現金センタクライアント３１は、コンピュータセンタ１０に配設されたサーバ１１に通信可能に接続されている。なお、前記現金センタクライアント３１は、通常、各現金センタ３０に一台ずつ配設されるが複数であってもよい。そして、前記現金センタ３０の職員は、前記現金センタクライアント３１を操作して、前記営業店２０に対する現金配送のための各種設定を行うことができる。また、前記現金センタ３０の職員は、前記現金センタクライアント３１を操作して、前記サーバ１１にアクセスして、当日の各営業店２０に関する配送計画を照会することができる。
【００１９】
そして、前記コンピュータセンタ１０は、独立して設立されたものであってもよいし、前記営業店２０又は現金センタ３０と一体的に設立されたものであってもよい。また、前記金融機関の勘定系のホストコンピュータ等が配設されるホストコンピュータセンタと一体的に設立されたものであってもよい。そして、前記サーバ１１は、ＣＰＵ、ＭＰＵ等の演算手段、半導体メモリ、磁気ディスク等の記憶手段、キーボード、マウス等の入力手段、ＣＲＴ、液晶ディスプレイ等の表示手段、通信手段等を備えるコンピュータである。なお、前記サーバ１１は、大型の汎（はん）用コンピュータのような単独のコンピュータによって構成されるものであってもよいし、分散型サーバのように複数のコンピュータを有機的に結合したものであってもよいし、大型のコンピュータ内に構築される複数のシステムの中の一つであってもよい。
【００２０】
ここで、前記サーバ１１の記憶手段には、配送グループ情報テーブル１２、基準高・上限値・下限値情報テーブル１３、有高情報テーブル１４及び配送計画情報テーブル１５が格納されている。前記配送グループ情報テーブル１２には、配送グループに含まれる営業店２０、配送車が各営業店２０を廻（まわ）って現金配送を行う配送ルート等の現金を配送するグループに関するデータが格納されている。
【００２１】
また、前記基準高・上限値・下限値情報テーブル１３には、各営業店２０における基準高、上限値及び下限値に関するデータが格納されている。なお、前記基準高は、前記営業店２０における有高の基準値であり、前記営業店２０にあるべき有高の値である。そして、現時点における有高を前記基準高と比較して、前記営業店２０に保管されている運用資金が過剰であるか不足しているかを判断するようになっている。また、前記上限値は基準高よりも高く設定された値であり、前記営業店２０の現時点における有高が前記上限値を超えた場合に前記営業店２０から現金を余剰金として回収するようになっている。なお、余剰金として回収する金額は、現時点における有高と基準高との差額である。さらに、前記下限値は基準高よりも低く設定された値であり、前記営業店２０の現時点における有高が前記下限値を超えた場合に前記営業店２０に現金を不足金として供給するようになっている。なお、不足金として供給する金額は、基準高と現時点における有高との差額である。すなわち、前記営業店２０における有高が上限値と下限値との間の範囲内にあるときは、前記営業店２０に対して現金配送が行われず、前記営業店２０における有高が上限値と下限値との間の範囲外にあるときに、前記営業店２０に対して現金配送が行われる。なお、前記基準値、上限値及び下限値は、前記現金センタ３０の職員によって設定される。この場合、例えば、一ヵ月間の前記基準値、上限値及び下限値が設定され、前記現金センタ３０の職員は、前記現金センタクライアント３１を操作して、設定された基準値、上限値及び下限値をサーバ１１に送信する。さらに、前記基準値、上限値及び下限値は、前記営業店２０の職員が営業店クライアント２１を操作して、必要に応じて変更することができる。
【００２２】
そして、前記有高情報テーブル１４は、各営業店２０の現時点における有高に関するデータが格納されている。なお、前記有高情報テーブル１４の内容は、営業店クライアント２１から受信する有高報告によって更新される。該有高報告が、例えば、各営業日における営業終了時刻に、前記サーバ１１に送信される場合、前記有高情報テーブル１４の内容も各営業日における営業終了時刻に更新される。また、前記配送計画情報テーブル１５には、作成された配送計画が格納されている。前記サーバ１１は、前記有高情報テーブル１４の内容が更新されると、更新された内容に基づいて前記基準高・上限値・下限値情報テーブル１３に格納されている基準高、上限値及び下限値を参照し、前記配送グループ情報テーブル１２に格納された配送ルート情報に従って配送計画を作成し、前記配送計画情報テーブル１５に格納する。
【００２３】
次に、前記構成の現金配送計画システムの動作について説明する。
【００２４】
図２は本発明の第１の実施の形態における現金配送計画システムの動作を示す第１の図、図３は本発明の第１の実施の形態における現金配送計画システムの動作を示す第２の図、図４は本発明の第１の実施の形態における現金配送計画システムの配送ルート情報の例を示す図、図５は本発明の第１の実施の形態における現金配送計画システムの配送グループ情報設定画面の例を示す図、図６は本発明の第１の実施の形態における現金配送計画システムの基準高・上限値・下限値情報設定画面の例を示す図、図７は本発明の第１の実施の形態における現金配送計画システムの有高報告画面の例を示す図、図８は本発明の第１の実施の形態における現金配送計画システムの配送計画照会画面の例を示す図、図９は本発明の第１の実施の形態における現金配送計画システムの配送計画の例を示す第１の図、図１０は本発明の第１の実施の形態における現金配送計画システムの配送計画の例を示す第２の図、図１１は本発明の第１の実施の形態における現金配送計画システムの配送計画の例を示す第３の図、図１２は本発明の第１の実施の形態における現金配送計画システムの配送計画の例を示す第４の図である。
【００２５】
ここでは、現金センタ３０が複数であって、図４に示されるように、第１の現金センタ３０ａ、第２の現金センタ３０ｂ、第３の現金センタ３０ｃ及び第４の現金センタ３０ｄから成る場合について説明する。この場合、第１の現金センタ３０ａは、上位の階層に属し、下位の階層に属する第２の現金センタ３０ｂ、第３の現金センタ３０ｃ及び第４の現金センタ３０ｄに対して現金配送を行うものとする。同様に、営業店２０も複数であり、営業店２０ｂ−１及び営業店２０ｂ−２、営業店２０ｃ−１〜営業店２０ｃ−４、並びに、営業店２０ｄ−１〜営業店２０ｄ−４から成る。そして、第２の現金センタ３０ｂは営業店２０ｂ−１及び営業店２０ｂ−２に対して現金配送を行い、第３の現金センタ３０ｃは営業店２０ｃ−１〜営業店２０ｃ−４に対して現金配送を行い、第４の現金センタ３０ｄは営業店２０ｄ−１〜営業店２０ｄ−４に対して現金配送を行うものとする。そのため、第１の現金センタ３０ａ、第２の現金センタ３０ｂ、第３の現金センタ３０ｃ及び第４の現金センタ３０ｄから成る第１の配送グループ、第２の現金センタ３０ｂ、営業店２０ｂ−１及び営業店２０ｂ−２から成る第２の配送グループ、第３の現金センタ３０ｃ、営業店２０ｃ−１〜営業店２０ｃ−４から成る第３の配送グループ、並びに、第４の現金センタ３０ｄ、営業店２０ｄ−１〜営業店２０ｄ−４から成る第４の配送グループが形成される。なお、図４に示される点線の矢印は、配送車が各営業店２０及び現金センタ３０を廻って現金配送を行う配送ルートを示している。また、第１の現金センタ３０ａ、第２の現金センタ３０ｂ、第３の現金センタ３０ｃ及び第４の現金センタ３０ｄは、営業店２０と一体的に設立されたものであってもよいが、ここでは、説明の都合上、営業店２０から独立して設立されたものであるとする。本実施の形態において、営業店２０ｂ−１、２０ｂ−２、２０ｃ−１〜２０ｃ−４及び２０ｄ−１〜２０ｄ−４を統合的に説明する場合には、営業店２０として説明する。また、第１の現金センタ３０ａ、第２の現金センタ３０ｂ、第３の現金センタ３０ｃ及び第４の現金センタ３０ｄを統合的に説明する場合には、現金センタ３０として説明する。
【００２６】
まず、現金センタ３０の職員は、現金センタクライアント３１を操作して配送グループ情報を設定する。この場合、図５に示されるような配送グループ情報設定画面が前記現金センタクライアント３１の表示手段に表示されるので、前記現金センタ３０の職員は前記配送グループ情報設定画面に所定事項を入力して初期設定を行い、サーバ１１に送信する（図２（１））。すると、該サーバ１１は、前記配送グループ情報設定画面に入力された事項を配送グループ情報の初期設定として、配送グループ情報テーブル１２に格納する。なお、初期設定された前記配送グループ情報は、図５に示されるように、第１の配送グループ、第２の配送グループ、第３の配送グループ及び第４の配送グループの構成及び各配送グループに含まれる営業店２０、並びに、各配送グループにおける配送ルートが含まれている。また、前記現金センタ３０の職員は、現金センタクライアント３１を操作して配送グループ情報を更新するための更新情報をサーバ１１に送信することができる。これにより、前記配送グループ情報テーブル１２に格納された配送グループ情報は随時更新される。
【００２７】
また、前記現金センタ３０の職員は、現金センタクライアント３１を操作して各営業店２０における基準高、上限値及び下限値を設定する。この場合、図６に示されるような基準高・上限値・下限値情報設定画面が前記現金センタクライアント３１の表示手段に表示されるので、前記現金センタ３０の職員は前記基準高・上限値・下限値情報設定画面に所定事項を入力して初期設定を行い、サーバ１１に送信する（図２（２））。すると、該サーバ１１は、前記基準高・上限値・下限値情報設定画面に入力された事項を基準高、上限値及び下限値の初期設定として、基準高・上限値・下限値情報テーブル１３に格納する。なお、各営業店２０の職員は、営業店クライアント２１を操作して、基準高、上限値及び下限値を更新するための更新情報をサーバ１１に送信することができる。この場合、図６に示されるような基準高・上限値・下限値情報設定画面が前記営業店クライアント２１の表示手段に表示されるので、各営業店２０の職員は、前記基準高・上限値・下限値情報設定画面に所定事項を入力してサーバ１１に送信する。これにより、前記基準高・上限値・下限値情報テーブル１３に格納された基準高、上限値及び下限値に関するデータは随時更新される。
【００２８】
さらに、各営業店２０の職員は、営業店クライアント２１を操作して各営業店２０の現時点における有高を報告する。この場合、図７に示されるような有高報告画面が前記営業店クライアント２１の表示手段に表示されるので、前記営業店２０の職員は前記有高報告画面に現時点における有高を入力して、有高報告としてサーバ１１に送信する（図２（３））。すると、該サーバ１１は、前記有高報告画面に入力された有高を有高情報テーブル１４に格納する。なお、前記有高報告は、例えば、各営業日における営業終了時刻に前記サーバ１１に送信され、前記有高情報テーブル１４の内容が営業店クライアント２１から受信する有高報告によって更新される。
【００２９】
そして、前記サーバ１１は、各営業日において前記有高情報テーブル１４の内容が更新された後に、更新された有高情報テーブル１４の内容に基づいて前記基準高・上限値・下限値情報テーブル１３に格納されている基準高、上限値及び下限値を参照し、前記配送グループ情報テーブル１２に格納された配送ルート情報に従って翌営業日の配送計画を作成し、配送計画情報テーブル１５に格納する（図２（４））。
【００３０】
この場合、前記サーバ１１は、まず、各営業店２０について、現時点における有高と上限値及び下限値とを比較する。そして、前記有高が上限値と下限値との間の範囲内である場合、すなわち、前記有高が上限値以下であり、かつ、下限値以上である場合には、前記サーバ１１は余剰金も不足金も発生していないと判断する。また、前記有高が上限値をより多い場合には余剰金が発生していると判断して、前記サーバ１１は、前記有高から基準高を減算した差額を余剰金の金額として算出する。また、前記有高が下限値未満である場合には不足金が発生していると判断して、前記サーバ１１は、前記基準高から有高を減算した差額を不足金の金額として算出する。続いて、前記サーバ１１は、配送グループに含まれる営業店２０の中で余剰金が発生している営業店２０から余剰金を回収し、不足金が発生している営業店２０に不足金を供給するように配送計画を作成する。なお、余剰金も不足金も発生していない営業店２０には配送を行わないようにする。すなわち、配送車が配送ルートに従って各営業店２０を廻り、余剰金も不足金も発生していない営業店２０には立ち寄らず、余剰金が発生している営業店２０に立ち寄って余剰金を回収し、不足金が発生している営業店２０に立ち寄って不足金を供給するように配送計画を作成する。
【００３１】
このようにして作成された翌営業日の配送計画は、営業店２０の営業店クライアント２１及び現金センタ３０の現金センタクライアント３１から照会することができるようになっている。
【００３２】
この場合、前記現金センタ３０の職員は、翌営業日の当日になると現金センタクライアント３１を操作し、図８に示されるような配送計画照会画面を前記現金センタクライアント３１の表示手段に表示させて必要事項を入力して、サーバ１１に送信する（図３（５））。すると、該サーバ１１は、前記配送計画情報テーブル１５に格納されている配送計画に基づいて、図９に示されるような配送計画リストを作成して現金センタクライアント３１に送信する。この場合、第１の現金センタ３０ａの現金センタクライアント３１には、図９（ａ）に示されるような配送計画リストが送信され、第２の現金センタ３０ｂの現金センタクライアント３１には、図９（ｂ）に示されるような配送計画リストが送信され、第３の現金センタ３０ｃの現金センタクライアント３１には、図９（ｃ）に示されるような配送計画リストが送信され、第４の現金センタ３０ｄの現金センタクライアント３１には、図９（ｄ）に示されるような配送計画リストが送信される。
【００３３】
そして、前記現金センタ３０の職員は、前記配送計画リストに従って、当日の不足金の配送及び余剰金の受入のための準備作業に移行する。この場合、第１の現金センタ３０ａの職員は、第１の配送グループに属する第１の現金センタ３０ａ、第２の現金センタ３０ｂ、第３の現金センタ３０ｃ及び第４の現金センタ３０ｄにおける当日の不足金及び余剰金を確認して、不足金の配送及び余剰金の受入のための準備作業を行う。また、第２の現金センタ３０ｂ、第３の現金センタ３０ｃ及び第４の現金センタ３０ｄの職員は、それぞれ、第２〜４の配送グループに属する現金センタ３０及び営業店２０における当日の不足金及び余剰金を確認して、不足金の配送及び余剰金の受入のための準備作業を行う。
【００３４】
また、各営業店２０の職員は、翌営業日の当日になると営業店クライアント２１を操作し、図８に示されるような配送計画照会画面を前記営業店クライアント２１の表示手段に表示させて必要事項を入力して、サーバ１１に送信する（図３（６））。すると、該サーバ１１は、前記配送計画情報テーブル１５に格納されている配送計画に基づいて、図１０〜１２に示されるような配送計画リストを作成して営業店クライアント２１に送信する。この場合、第２の配送グループに属する営業店２０ｂ−１及び営業店２０ｂ−２の営業店クライアント２１には、図１０（ａ）及び（ｂ）に示されるような配送計画リストがそれぞれ送信され、第３の配送グループに属する営業店２０ｃ−１〜営業店２０ｃ−４の営業店クライアント２１には、図１１（ａ）〜（ｄ）に示されるような配送計画リストがそれぞれ送信され、第４の配送グループに属する営業店２０ｄ−１〜営業店２０ｄ−４の営業店クライアント２１には、図１２（ａ）〜（ｄ）に示されるような配送計画リストがそれぞれ送信される。そして、各営業店２０の職員は、前記配送計画リストによって当日の不足金及び余剰金を確認し、当日の不足金の受入及び余剰金の配送のための準備作業に移行する。
【００３５】
このように、本実施の形態においては、現金センタ３０の現金センタクライアント３１から入力して初期設定された各営業店２０の基準高、上限値及び下限値に関するデータを営業店２０の営業店クライアント２１から入力した現時点における有高等のデータによって更新し、更新されたデータに基づいて、サーバ１１が配送計画を作成するようになっている。すなわち、本実施の形態における現金配送計画システムは、最新のデータによって修正することができるフレキシブルになっている。そのため、容易に、かつ、適切に現金の配送計画を立てることができる。したがって、簡単な構成でありながら、適切な現金の配送計画を立てることができる。
【００３６】
次に、本発明の第２の実施の形態について説明する。なお、第１の実施の形態と同じ構造を有するものについては、同じ符号を付与することによってその説明を省略する。また、前記第１の実施の形態と同じ動作及び同じ効果についても、その説明を省略する。
【００３７】
図１３は本発明の第２の実施の形態における有高、基準高、上限値及び下限値の推移を示す図である。
【００３８】
本実施の形態においてサーバ１１は、基準高・上限値・下限値情報テーブル１３、有高情報テーブル１４及び配送計画情報テーブル１５から蓄積された過去のデータを取得して、該データに基づいて、各営業店２０における過去の有高、基準高、上限値及び下限値の推移を分析するようになっている。この場合、前記サーバ１１は、基準高・上限値・下限値情報テーブル１３、有高情報テーブル１４及び配送計画情報テーブル１５から取得したデータに基づいて、各営業店２０のそれぞれについて、図１３（ｂ）に示されるような表を作成し、該表に基づいて、図１３（ａ）に示されるようなグラフを作成する。
【００３９】
そして、該グラフは、営業店２０の営業店クライアント２１及び現金センタ３０の現金センタクライアント３１から照会することができるようになっている。これにより、第２の現金センタ３０ｂ、第３の現金センタ３０ｃ及び第４の現金センタ３０ｄの職員、及び、各営業店２０の職員は、それぞれが計画した基準高、上限値及び下限値と実際の有高の過去における日々の推移を把握することができる。したがって、営業店２０及び現金センタ３０の職員は、設定された基準高、上限値及び下限値を図１３（ａ）に示されるようなグラフを参照しながら、容易に、かつ、適切に修正することができ、基準高、上限値及び下限値を設定するための作業負担を低減することができる。
【００４０】
なお、本発明は前記実施の形態に限定されるものではなく、本発明の趣旨に基づいて種々変形させることが可能であり、それらを本発明の範囲から排除するものではない。
【図面の簡単な説明】
【００４１】
【図１】本発明の第１の実施の形態における現金配送計画システムの装置構成を示すブロック図である。
【図２】本発明の第１の実施の形態における現金配送計画システムの動作を示す第１の図である。
【図３】本発明の第１の実施の形態における現金配送計画システムの動作を示す第２の図である。
【図４】本発明の第１の実施の形態における現金配送計画システムの配送ルート情報の例を示す図である。
【図５】本発明の第１の実施の形態における現金配送計画システムの配送グループ情報設定画面の例を示す図である。
【図６】本発明の第１の実施の形態における現金配送計画システムの基準高・上限値・下限値情報設定画面の例を示す図である。
【図７】本発明の第１の実施の形態における現金配送計画システムの有高報告画面の例を示す図である。
【図８】本発明の第１の実施の形態における現金配送計画システムの配送計画照会画面の例を示す図である。
【図９】本発明の第１の実施の形態における現金配送計画システムの配送計画の例を示す第１の図である。
【図１０】本発明の第１の実施の形態における現金配送計画システムの配送計画の例を示す第２の図である。
【図１１】本発明の第１の実施の形態における現金配送計画システムの配送計画の例を示す第３の図である。
【図１２】本発明の第１の実施の形態における現金配送計画システムの配送計画の例を示す第４の図である。
【図１３】本発明の第２の実施の形態における有高、基準高、上限値及び下限値の推移を示す図である。
【符号の説明】
【００４２】
１１    サーバ
１２    配送グループ情報テーブル
１３    基準高・上限値・下限値情報テーブル
１４    有高情報テーブル
１５    配送計画情報テーブル
２０、２０ｂ−１、２０ｂ−２、２０ｃ−１、２０ｃ−２、２０ｃ−３、２０ｃ−４、２０ｄ−１、２０ｄ−２、２０ｄ−３、２０ｄ−４    営業店
２１    営業店クライアント
３０    現金センタ
３０ａ    第１の現金センタ
３０ｂ    第２の現金センタ
３０ｃ    第３の現金センタ
３０ｄ    第４の現金センタ
３１    現金センタクライアント
【図１】
2005255333.tif 000003
【図２】
2005255333.tif 000004
【図３】
2005255333.tif 000005
【図４】
2005255333.tif 000006
【図５】
2005255333.tif 000007
【図６】
2005255333.tif 000008
【図７】
2005255333.tif 000009
【図８】
2005255333.tif 000010
【図９】
2005255333.tif 000011
【図１０】
2005255333.tif 000012
【図１１】
2005255333.tif 000013
【図１２】
2005255333.tif 000014
【図１３】
2005255333.tif 000015